【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
水処理組成物であって、該水処理組成物は、
複合体粒子であって、各複合体粒子は、ホスフェート除去物質およびポリマー凝集剤を含む、複合体粒子
を含み、ここで、該複合体粒子は自由流動性の顆粒状の固体の化学的に均質な粒子であり、そして該ホスフェート除去物質およびポリマー凝集剤は該複合体粒子内で相互に結合される、
水処理組成物。
【請求項２】
請求項１に記載の水処理組成物であって、ここで、前記複合体粒子は結晶構造を有する、水処理組成物。
【請求項３】
請求項１に記載の水処理組成物であって、ここで、前記複合体粒子はさらに酵素を含む、水処理組成物。
【請求項４】
請求項１に記載の水処理組成物であって、ここで、前記複合体粒子は水溶性である、水処理組成物。
【請求項５】
請求項１に記載の水処理組成物であって、ここで、前記複合体粒子は密封された水溶性パウチ中に格納される、水処理組成物。
【請求項６】
請求項５に記載の水処理組成物であって、ここで、前記密封された水溶性パウチは加水分解されたポリビニルアルコールまたはセルロースをベースにした材料である、水処理組成物。
【請求項７】
請求項１に記載の水処理組成物であって、ここで、前記ホスフェート除去物質は、ジルコニウム化合物、希土類ランタニド塩、アルミニウム化合物、鉄化合物、またはそれらの任意の組み合わせから選択される、水処理組成物。
【請求項８】
請求項１に記載の水処理組成物であって、ここで、前記ホスフェート除去物質は、酢酸ジルコニウム、硫酸ジルコニウム、オキシ塩化ジルコニウム、塩基性硫酸ジルコニウム、およびそれらの様々な組み合わせから選択される、水処理組成物。
【請求項９】
請求項１に記載の水処理組成物であって、ここで、前記ホスフェート除去物質は塩化ランタンまたは硫酸ランタンである、水処理組成物。
【請求項１０】
請求項１に記載の水処理組成物であって、ここで、前記ホスフェート除去物質は、硫酸アルミニウム、塩化アルミニウム、ポリ塩化アルミニウム、アルミニウムクロロハイドレート、ポリ水酸化硫酸アルミニウム、ポリ硫酸塩化アルミニウム、ポリケイ酸塩化アルミニウム、およびそれらの様々な組み合わせから選択される、水処理組成物。
【請求項１１】
請求項１に記載の水処理組成物であって、ここで、前記ホスフェート除去物質は、酸化鉄、酸化鉄水酸化物、ゼロ価鉄、水酸化第二鉄、硫酸第二鉄、塩化第二鉄、塩化硫酸第二鉄、ポリ硫酸第二鉄、硫酸第一鉄、およびそれらの様々な組み合わせから選択される、水処理組成物。
【請求項１２】
請求項１に記載の水処理組成物であって、ここで、前記ポリマー凝集剤は、合成ポリマー、天然生体ポリマー多糖類、誘導体化天然生体ポリマー多糖類、またはそれらの任意の組み合わせから選択される、水処理組成物。
【請求項１３】
請求項１に記載の水処理組成物であって、ここで、前記ポリマー凝集剤は、ポリアクリルアミド、ポリアクリルアミドコポリマー、ジアリルジメチルアンモニウムクロリド（ＤＡＤＭＡＣ）、ジメチルアミノエチルアクリレート（ＤＭＡＥＡ）、ジメチルアミノエチルメタクリレート（ＤＭＡＥＭ）、３−メチルアミドプロピルトリメチルアンモニウムクロリド（ＭＡＰＴＡＣ）またはアクリル酸のアクリルアミドコポリマー；カチオン性ポリアクリルアミド；アニオン性ポリアクリルアミド；中性ポリアクリルアミド；ポリアミン；ポリビニルアミン；ポリエチレンイミン；ポリジメチルジアリルアンモニウムクロリド；ポリオキシエチレン；ポリビニルアルコール；ポリビニルピロリドン；ポリアクリル酸；ポリリン酸；ポリスチレンスルホン酸；およびそれらの様々な組み合わせから選択される、水処理組成物。
【請求項１４】
請求項１に記載の水処理組成物であって、ここで、前記ポリマー凝集剤は、酢酸キトサン、乳酸キトサン、アジピン酸キトサン、グルタミン酸キトサン、コハク酸キトサン、リンゴ酸キトサン、クエン酸キトサン、フマル酸キトサン、塩酸キトサン等、およびそれらの様々な組み合わせから選択される、水処理組成物。
【請求項１５】
請求項１に記載の水処理組成物であって、ここで、前記ポリマー凝集剤は、グアー、カチオン性グアー、アニオン性グアー、デンプン、カチオン性デンプン、アニオン性デンプン、カラギーナン、メチルセルロース、ヒドロキシプロピルセルロース、ナトリウムカルボキシメチルセルロース、ヒドロキシメチルセルロース、ヒドロキシプロピルメチルセルロース、ヒドロキシエチルセルロース、キサンタン、アルギネート、ペクチン、グルコマンナン、ガラクトマンナン、およびそれらの様々な組み合わせから選択される、水処理組成物。
【請求項１６】
請求項３に記載の水処理組成物であって、ここで、前記酵素は、アミラーゼ、セルラーゼ、プロテアーゼ、リパーゼ、ホスファターゼ、ペルオキシダーゼ、ペクチナーゼ、ペプシン、またはそれらの任意の組み合わせから選択される、水処理組成物。
【請求項１７】
請求項１に記載の水処理組成物であって、ここで、前記ホスフェート除去物質は、酢酸ジルコニウムであり、前記ポリマー凝集剤はキトサン塩であり、そして前記複合体はさらにペプシン酵素を含み、ここで、該ホスフェート除去物質、該ポリマー凝集剤、および該ペプシン酵素は相互に結合される、水処理組成物。
【請求項１８】
請求項１に記載の水処理組成物であって、ここで、前記ホスフェート除去物質は塩化ランタンであり、そして前記ポリマー凝集剤はキトサン塩であり、そして前記複合体はさらにペプシン酵素を含み、ここで、該ホスフェート除去物質、該ポリマー凝集剤、および該ペプシン酵素は相互に結合される、水処理組成物。
【請求項１９】
前記複合体粒子は、さらに殺藻剤を含む、請求項１に記載の水処理組成物。
【請求項２０】
水性の水体を処理する方法であって、請求項１に記載の水処理組成物を該水体に添加することを包含する、方法。
【請求項２１】
水処理組成物であって、該水処理組成物は、
複合体粒子であって、各複合体粒子は、ホスフェート除去物質およびキトサンポリマーを含む、複合体粒子
を含み、ここで、該複合体粒子は自由流動性の固体の顆粒状の化学的に均質な粒子であり、そして該ホスフェート除去物質およびキトサンポリマーは該複合体粒子内で相互に結合される、
水処理組成物。
【請求項２２】
水処理組成物であって、該水処理組成物は、
水溶性パウチ中に格納された複合体粒子であって、各複合体粒子は、ホスフェート除去物質およびポリマー凝集剤を含む、複合体粒子
を含み、ここで、該複合体粒子は自由流動性の顆粒状の固体の化学的に均質な粒子であり、そして該ホスフェート除去物質およびポリマー凝集剤は該複合体粒子内で相互に結合される、
水処理組成物。
【手続補正２】
【補正対象書類名】明細書
【補正対象項目名】００２９
【補正方法】変更
【補正の内容】
【００２９】
いくつかの実施態様では、水体はビグアニド消毒剤を含有する。
本発明の実施形態において、例えば以下の項目が提供される。
（項目１）
水処理組成物であって：
ホスフェート除去物質およびポリマー凝集剤から構成される複合体を含み、
ここで、該複合体は自由流動性顆粒状固体を含み、そして該ホスフェート除去物質およびポリマー凝集剤は相互に結合される、
水処理組成物。
（項目２）
項目１に記載の水処理組成物であって、ここで、前記複合体は結晶構造を有する、水処理組成物。
（項目３）
項目１に記載の水処理組成物であって、ここで、前記複合体はさらに酵素を含む、水処理組成物。
（項目４）
項目１に記載の水処理組成物であって、ここで、前記複合体は水溶性である、水処理組成物。
（項目５）
項目１に記載の水処理組成物であって、ここで、前記複合体は密封された水溶性パウチ中に格納される、水処理組成物。
（項目６）
項目５に記載の水処理組成物であって、ここで、前記パウチは加水分解されたポリビニルアルコールまたはセルロースをベースにした材料である、水処理組成物。
（項目７）
項目１に記載の水処理組成物であって、ここで、前記ホスフェート除去物質は、ジルコニウム化合物、希土類ランタニド塩、アルミニウム化合物、鉄化合物、またはそれらの任意の組み合わせから選択される、水処理組成物。
（項目８）
項目１に記載の水処理組成物であって、ここで、前記ホスフェート除去物質は、酢酸ジルコニウム、硫酸ジルコニウム、オキシ塩化ジルコニウム、塩基性硫酸ジルコニウム、およびそれらの様々な組み合わせから選択される、水処理組成物。
（項目９）
項目１に記載の水処理組成物であって、ここで、前記ホスフェート除去物質は塩化ランタンまたは硫酸ランタンである、水処理組成物。
（項目１０）
項目１に記載の水処理組成物であって、ここで、前記ホスフェート除去物質は、硫酸アルミニウム、塩化アルミニウム、ポリ塩化アルミニウム、アルミニウムクロロハイドレート、ポリ水酸化硫酸アルミニウム、ポリ硫酸塩化アルミニウム、ポリケイ酸塩化アルミニウム、およびそれらの様々な組み合わせから選択される、水処理組成物。
（項目１１）
項目１に記載の水処理組成物であって、ここで、前記ホスフェート除去物質は、酸化鉄、酸化鉄水酸化物、ゼロ価鉄、水酸化第二鉄、硫酸第二鉄、塩化第二鉄、塩化硫酸第二鉄、ポリ硫酸第二鉄、硫酸第一鉄、およびそれらの様々な組み合わせから選択される、水処理組成物。
（項目１２）
項目１に記載の水処理組成物であって、ここで、前記ポリマー凝集剤は、合成ポリマー、天然生体ポリマー多糖類、誘導体化天然生体ポリマー多糖類、またはそれらの任意の組み合わせから選択される、水処理組成物。
（項目１３）
項目１に記載の水処理組成物であって、ここで、前記ポリマー凝集剤は、ポリアクリルアミド、ポリアクリルアミドコポリマー（例えば、ジアリルジメチルアンモニウムクロリド（ＤＡＤＭＡＣ）、ジメチルアミノエチルアクリレート（ＤＭＡＥＡ）、ジメチルアミノエチルメタクリレート（ＤＭＡＥＭ）、３−メチルアミドプロピルトリメチルアンモニウムクロリド（ＭＡＰＴＡＣ）またはアクリル酸のアクリルアミドコポリマー）；カチオン性ポリアクリルアミド；アニオン性ポリアクリルアミド；中性ポリアクリルアミド；ポリアミン；ポリビニルアミン；ポリエチレンイミン；ポリジメチルジアリルアンモニウムクロリド；ポリオキシエチレン；ポリビニルアルコール；ポリビニルピロリドン；ポリアクリル酸；ポリリン酸；ポリスチレンスルホン酸；およびそれらの様々な組み合わせから選択される、水処理組成物。
（項目１４）
項目１に記載の水処理組成物であって、ここで、前記ポリマー凝集剤は、酢酸キトサン、乳酸キトサン、アジピン酸キトサン、グルタミン酸キトサン、コハク酸キトサン、リンゴ酸キトサン、クエン酸キトサン、フマル酸キトサン、塩酸キトサン等、およびそれらの様々な組み合わせから選択される、水処理組成物。
（項目１５）
項目１に記載の水処理組成物であって、ここで、前記ポリマー凝集剤は、グアー、カチオン性グアー、アニオン性グアー、デンプン、カチオン性デンプン、アニオン性デンプン、カラギーナン、メチルセルロース、ヒドロキシプロピルセルロース、ナトリウムカルボキシメチルセルロース、ヒドロキシメチルセルロース、ヒドロキシプロピルメチルセルロース、ヒドロキシエチルセルロース、キサンタン、アルギネート、ペクチン、グルコマンナン、ガラクトマンナン、およびそれらの様々な組み合わせから選択される、水処理組成物。
（項目１６）
項目３に記載の水処理組成物であって、ここで、前記酵素は、アミラーゼ、セルラーゼ、プロテアーゼ、リパーゼ、ホスファターゼ、ペルオキシダーゼ、ペクチナーゼ、ペプシン、またはそれらの任意の組み合わせから選択される、水処理組成物。
（項目１７）
項目１に記載の水処理組成物であって、ここで、前記ホスフェート除去物質は、酢酸ジルコニウムであり、前記ポリマー凝集剤はキトサン塩であり、そして前記複合体はさらにペプシン酵素を含み、ここで、該ホスフェート除去物質、該ポリマー凝集剤、および該酵素は相互に結合される、水処理組成物。
（項目１８）
項目１に記載の水処理組成物であって、ここで、前記ホスフェート除去物質は塩化ランタンであり、そして前記ポリマー凝集剤はキトサン塩であり、そして前記複合体はさらにペプシン酵素を含み、ここで、該ホスフェート除去物質、該ポリマー凝集剤、および該酵素は相互に結合される、水処理組成物。
（項目１９）
さらに殺藻剤を含む、項目１に記載の水処理組成物。
（項目２０）
水性の水体を処理する方法であって、項目１に記載の水処理組成物を該水体に添加することを包含する、方法。
（項目２１）
項目２０に記載の方法であって、ここで、前記水体は塩素処理される、方法。
（項目２２）
さらに前記水処理組成物をスキマー内に配置することを包含する、項目２０に記載の方法。